(57)【要約】【課題】  情報選択の際の煩わしさを解消し、迅速な情報選択を可能にする装置や方法等を提供する。【解決手段】  片手で保持した状態で操作を行う携帯端末のレイアウト表示を処理する表示処理装置１であり、携帯端末を一方の手から他方の手に持ち替えたときに、コンテンツを選択するための判断基準となる判断基準情報を、他方の手から遠い遠方側領域に表示するよう表示を切り替える第１の切替手段を備える。なお、前記選択基準情報とは、画像データまたは動画データなどの一目で視覚に訴える視覚情報である。【選択図】  図１
2016076038.tif 000002
【特許請求の範囲】
【請求項１】
片手で保持した状態で操作を行う携帯端末のレイアウト表示を処理する表示処理装置において、
前記携帯端末を一方の手から他方の手に持ち替えたときに、コンテンツを選択するための判断基準となる判断基準情報を、前記他方の手から遠い側に表示するよう表示を切り替える第１の切替手段、
を備えることを特徴とする表示処理装置。
【請求項２】
前記選択基準情報とは、一目で視覚に訴える視覚情報であることを特徴とする請求項１記載の表示処理装置。
【請求項３】
前記視覚情報とは、画像データまたは動画データであることを特徴とする請求項２記載の表示処理装置。
【請求項４】
前記携帯端末を一方の手から他方の手に持ち替えたときに、情報の入力を受け付ける入力受付部を、前記他方の手から近い側に表示するよう表示を切り替える第２の切替手段、
を備えることを特徴とする請求項１記載の表示処理装置。
【請求項５】
前記入力受付部には、前記選択基準情報を補足するテキストデータが含まれることを特徴とする請求項４記載の表示処理装置。
【請求項６】
片手で保持した状態で操作を行う携帯端末のレイアウト表示を処理するコンピュータを、
前記携帯端末を一方の手から他方の手に持ち替えたときに、コンテンツを選択するための判断基準となる判断基準情報を、前記他方の手から遠い側に表示するよう表示を切り替える第１の切替手段、
として機能させることを特徴とする表示処理プログラム。
【請求項７】
片手で保持した状態で操作を行う携帯端末のレイアウト表示を処理する表示処理装置において、
第１の切替手段が、前記携帯端末を一方の手から他方の手に持ち替えたときに、コンテンツを選択するための判断基準となる判断基準情報を、前記他方の手から遠い側に表示するよう表示を切り替えるステップを実行する
ことを特徴とする表示処理方法。
【請求項８】
片手で保持した状態で操作を行う携帯端末のレイアウト表示を処理する表示処理装置において、
利き手ではない方の手で操作しやすい非利き手用レイアウトで情報を表示しているときに、所定のタイミングになった場合は、情報の表示レイアウトを、前記非利き手用レイアウトから、利き手で操作しやすい利き手用レイアウトに自動的に切り替えるレイアウト切替手段を備えることを特徴とする表示処理装置。
【請求項９】
前記タイミングは、表示コンテンツの終了時であることを特徴とする請求項８記載の表示処理装置。
【請求項１０】
前記表示コンテンツの終了時とは、音声または動画の再生が終了した時を含むことを特徴とする請求項９記載の表示処理装置。
【請求項１１】
前記表示コンテンツの終了時とは、ウェブページの表示が下端に到達した時を含むことを特徴とする請求項９記載の表示処理装置。
【請求項１２】
前記第非利き手用レイアウトは、右利き用の操作部と左利き用の操作部とを含み、
前記右利き用の操作部と前記左利き用の操作部とは、その形状または大きさが異なることを特徴とする請求項８記載の表示処理装置。
【請求項１３】
片手で保持した状態で操作を行う携帯端末のレイアウト表示を処理するコンピュータを、
利き手ではない方の手で操作しやすい非利き手用レイアウトで情報を表示しているときに、所定のタイミングになった場合は、情報の表示レイアウトを、前記非利き手用レイアウトから、利き手で操作しやすい利き手用レイアウトに自動的に切り替えるレイアウト切替手段として機能させることを特徴とする表示処理プログラム。
【請求項１４】
片手で保持した状態で操作を行う携帯端末のレイアウト表示を処理する表示処理装置において、
レイアウト切替手段が、利き手ではない方の手で操作しやすい非利き手用レイアウトで情報を表示しているときに、所定のタイミングになった場合は、情報の表示レイアウトを、前記非利き手用レイアウトから、利き手で操作しやすい利き手用レイアウトに自動的に切り替えるステップを実行することを特徴とする表示処理方法。
【請求項１５】
片手で保持した状態で操作を行う携帯端末の表示処理を行う表示処理装置において、
コンテンツの再生箇所または音量をコントロールするコントロール部を、動画または音声の再生画面の上方向から下方向にかけて表示するコントロール部表示手段を備え、
前記コントロール部は、操作する手に近い側に表示されることを特徴とする表示処理装置。
【請求項１６】
前記コントロール部の一部を拡大することを命令する拡大命令を取得した場合、前記コントロール部の一部が拡大表示されることを特徴とする請求項１５記載の表示処理装置。
【請求項１７】
前記拡大命令は、前記コントロール部の一部を継続的に触れるにより発せられる命令であることを特徴とする請求項１６記載の表示処理装置。
【請求項１８】
片手で保持した状態で操作を行う携帯端末の表示処理を行うコンピュータを、
コンテンツの再生箇所または音量をコントロールするコントロール部を、動画または音声の再生画面の上方向から下方向にかけて表示するコントロール部表示手段として機能させるものであり、
前記コントロール部は、操作する手に近い側に表示されることを特徴とする表示処理プログラム。
【請求項１９】
片手で保持した状態で操作を行う携帯端末の表示処理を行う表示処理装置において、
コントロール部表示手段が、コンテンツの再生箇所または音量をコントロールするコントロール部を、動画または音声の再生画面の上方向から下方向にかけて表示するコントロール部表示ステップを実行するものであり、
前記コントロール部は、操作する手に近い側に表示されることを特徴とする表示処理方法。
【発明の詳細な説明】
【技術分野】
【０００１】
本発明は、表示処理装置、表示処理プログラム、表示処理方法に関し、特に、表示情報のレイアウトを別のレイアウトに変更する処理を行う表示処理装置等に関するものである。
【背景技術】
【０００２】
現在、多くの人達がスマートフォンなどの携帯端末を利用している。スマートフォンは、操作ボタン等の表示レイアウトを自由に設定できるため、操作性に優れている。
しかし、表示レイアウトが自由であるが故に、レイアウトを設定する者が充分な配慮を行わないと、却って不便なものとなる場合がある。例えば、図１５（ｂ）は「スキャン」という操作ボタンが画面の右側に表示されている。これはスマートフォンの利用者の殆どが右利きであるため、操作ボタンが右利きの人にとって指が届きやすい右側に表示されているのである。しかし、これは左利きの人にとっては非常に不便である。左利きの人は左手で操作を行うので、操作ボタンに指が届き辛いからである。
【０００３】
この問題に対し、非特許文献１のような技術が提供されている。これは、操作ボタン等を表示画面の左右で入れ替える技術を提供するものであり、左利きの人でも利用しやすいよう配慮された技術である（図１５）。
すなわち、所定の操作により、右利きモードから左利きモードに切り替えると、右手側に表示された操作ボタンが、図１５（ａ）のように左手側に近づき、左手で操作する人の指が操作ボタンに楽に届くように設計されている。
【先行技術文献】
【非特許文献】
【０００４】
【非特許文献１】ｈｔｔｐ：／／ｗｗｗ．ｍｃｆｒａｍｅ．ｃｏｍ／ｃｏｌｕｍｎ／ｓｍａｒｔｐｈｏｎｅ／ｓｍａｒｔｐｈｏｎｅ０３．ｈｔｍｌ／東洋ビジネスエンジニアリング株式会社  ＭＣＦｒａｍｅホームページ／平成２６年９月１７日検索
【発明の概要】
【発明が解決しようとする課題】
【０００５】
非特許文献１の技術は、レイアウト変更の際に操作ボタンを「操作する手に近づける」という着想に基づく技術であり、この着想により操作する指が操作ボタンに届かないという問題は解決される。
しかし、レイアウトを変更する際に、操作ボタンを「操作する手に近づける」という着想ばかりに重点を置くと、情報の選択を迅速に行えないという問題が生じる。以下、その点について説明する。
【０００６】
図１６は、投稿された複数の愛犬の動画一覧から所望の動画を選択し、その動画を再生するための画面を表した図である。なお、このスマートフォンを操作するのは左利きの人であり、左手でスマートフォンを操作するものとする。
表示画面の左側には動画に登場する犬の画像が表示され、画面の右側にはその動画の補足説明が表示されている。この画像をタップすると所望の動画を選択できるので、この画像は操作ボタンとしての役割を果たすものである。よって、従来の技術の「操作ボタンを操作する手に近づける」という着想に基づき、左手側に表示されているのである。
また、この犬の画像は再生したい動画を選択する重要な手がかりとなるので、選択基準情報としての役割も果たす。補足説明などの文章よりも、画像の方が直感的に情報選択の判断ができるので、利用者は画像を基準に選択判断するのである。
【０００７】
図１６において、所望の動画を選択するには、左手の親指で表示情報を上下にスクロールさせて選択を行う。
しかし、この際、図１６のように左手親指が判断材料となる画像を隠してしまう。よって、利用者は親指で隠れた画像をみるために、一旦親指を外側に退かすか、または視線を下にずらして親指が隠している画像をのぞき込むような動作をしなければならず、面倒であり、迅速に情報を選択できない。
このような問題は、愛犬の動画再生などの一刻一秒を争わない場合であっても利用者に煩わしい思いをさせるが、株取引のような一瞬の選択判断や操作の遅れが大きな損害に結びつくような場合には大きな問題となってしまう。
【０００８】
なお、この問題は利用者が右利きの場合でも起こる問題である。すなわち、犬の画像が右側に表示された場合、右利きの人の親指が犬の画像を隠してしまい、迅速に情報を選択できないのである。
そして、このような問題が生じる理由は、選択基準となる情報を操作する手に近づけたからである。すなわち、操作ボタンなどの情報を操作する手に近づけて表示する技術はあっても、選択判断基準のような情報を、操作する手から遠ざけて表示する技術がないために、迅速に情報の選択ができないという問題が生じるのである。
【０００９】
本発明は、このような課題を解決するためのものであり、情報選択の際の煩わしさを解消し、迅速な情報選択を可能にする装置や方法等を提供するものである。
【課題を解決するための手段】
【００１０】
上記問題を解決するため、本発明では、片手で保持した状態で操作を行う携帯端末のレイアウト表示を処理する表示処理装置において、前記携帯端末を一方の手から他方の手に持ち替えたときに、コンテンツを選択するための判断基準となる判断基準情報を、前記他方の手から遠い側に表示するよう表示を切り替える第１の切替手段を備えることを特徴とする表示処理装置が提供される。
【００１１】
本発明は、片手で保持した状態で操作を行う携帯端末のレイアウト表示を処理する表示処理装置において、前記携帯端末を一方の手から他方の手に持ち替えたときに、コンテンツを選択するための判断基準となる判断基準情報を、前記他方の手から遠い側に表示するよう表示を切り替える。
これにより、携帯端末を一方の手から他方の手に持ち替えたときに、判断基準情報が、他方の手から遠い側に表示される。
【００１２】
上記問題を解決するため、本発明では、片手で保持した状態で操作を行う携帯端末のレイアウト表示を処理するコンピュータを、前記携帯端末を一方の手から他方の手に持ち替えたときに、コンテンツを選択するための判断基準となる判断基準情報を、前記他方の手から遠い側に表示するよう表示を切り替える第１の切替手段、として機能させることを特徴とする表示処理プログラムが提供される。
【００１３】
本発明は、片手で保持した状態で操作を行う携帯端末のレイアウト表示を処理する表示処理するコンピュータを、前記携帯端末を一方の手から他方の手に持ち替えたときに、コンテンツを選択するための判断基準となる判断基準情報を、前記他方の手から遠い側に表示するよう表示を切り替えるよう機能させる。
これにより、携帯端末を一方の手から他方の手に持ち替えたときに、判断基準情報が、他方の手から遠い側に表示される。
【００１４】
上記問題を解決するため、本発明では、片手で保持した状態で操作を行う携帯端末のレイアウト表示を処理する表示処理装置において、第１の切替手段が、前記携帯端末を一方の手から他方の手に持ち替えたときに、コンテンツを選択するための判断基準となる判断基準情報を、前記他方の手から遠い側に表示するよう表示を切り替えるステップを実行することを特徴とする表示処理方法が提供される。
【００１５】
本発明は、片手で保持した状態で操作を行う携帯端末のレイアウト表示を処理する表示処理装置において、第１の切替手段が、前記携帯端末を一方の手から他方の手に持ち替えたときに、コンテンツを選択するための判断基準となる判断基準情報を、前記他方の手から遠い側に表示するよう表示を切り替えるステップを行う。
これにより、携帯端末を一方の手から他方の手に持ち替えたときに、判断基準情報が、他方の手から遠い側に表示される。
【発明の効果】
【００１６】
本発明は、携帯端末を一方の手から他方の手に持ち替えたときに、判断基準情報が、他方の手から遠い側に表示される。
よって、指が邪魔になって判断基準情報の視認が妨げられることがない。従って、情報選択の際の煩わしさがなく、迅速な情報選択を行うことができる。
【図面の簡単な説明】
【００１７】
【図１】実施例１のハードウェア構成の一例を表す図である。
【図２】表示情報の一例を表す図である。
【図３】表示画面の構成例を表す図である。
【図４】実施例１の処理フローの一例を表す図である。
【図５】実施例１のレイアウト変更フローの一例を表す図である。
【図６】実施例２のハードウェア構成の一例を表す図である。
【図７】表示情報およびレイアウト情報、タイミングデータの一例を表す図である。
【図８】表示が切り替わる画面の例を表す図である。
【図９】操作ボタンの例を表す図である。
【図１０】実施例２の処理フローの一例を表す図である。
【図１１】実施例３のハードウェア構成の一例を表す図である。
【図１２】レイアウト情報を表すフローチャートである。
【図１３】コントロールバーの表示例を表す図である。
【図１４】実施例３の処理フローの一例を表す図である。
【図１５】従来のレイアウト切替技術を表す図である。
【図１６】従来の操作例を表す図である。
【図１７】従来のコントロールバーの表示例を表す図である。
【発明を実施するための形態】
【実施例１】
【００１８】
本発明の第１実施例を図に基づいて説明する。
図１は、本発明の第１実施例で利用するハードウェア構成及び機能構成を示した図である。
図１は、処理部２、記憶部３、表示部４、入力部５とを備えた表示装置１である。
表示装置１は、スマートフォンなどの携帯端末であるが、これに限るものではない。
処理部２は、所定のプログラムに従って情報を処理するものであり、情報取得部２１、判断処理表部２２、表示命令部２３とからなる。
記憶部３は、本実施例で使用する情報や所定のプログラムを記憶するものであり、情報記憶部３１を備える。
表示部１４は、スマートフォンの表示モニタであるが、これに限るものではない。表示部１４は、近方側領域と遠方側領域とからなり、近方側領域表示部４１と遠方側領域表示部４２を備える。
入力部１５は、スマートフォンの表示モニタの画面から情報を入力するものであるが、これに限るものではない。入力部１５は、情報入力部５１を備える。
【００１９】
情報取得部２１は、情報記憶部３１や情報入力部５１から情報を取得し、判断処理部２２に対し、取得した情報に基づいた処理の実行を命令する。
判断処理部２２は、情報取得部２１からの処理実行命令を受信し、所定の判断等を行い、表示命令部２３に対し処理の実行命令を行う。
表示命令部２３は、判断処理部２２からの実行命令を受け、近方側領域表示部４１及び遠方側領域表示部４２に対し表示命令を行う。
【００２０】
情報記憶部３１は、情報取得部２１からの情報要求に応じ、情報取得部２１に対し所定の情報を送信する。
情報入力部５１は、情報取得部２１に対し情報の入力を行う。
【００２１】
近方側領域表示部４１及び遠方側領域表示部４２は、表示命令部２３からの表示命令を受け、情報を表示する。
【００２２】
次に、本実施例にて使用されるデータについて説明する。
図２は、コンテンツと表示先とが関連づけられた表示情報である。
この情報は、コンテンツの内容と、右用のレイアウトの場合、各コンテンツをどの領域に表示するか、さらには左用のレイアウトの場合、各コンテンツをどの領域に表示するかを表している。
【００２３】
次に、表示部４について説明する（図３）。
スマートフォンなどの携帯端末は、どちらかの手で携帯端末を持ち、持った手の親指１６を上下させて表示コンテンツをスクロースさせるのが一般的である。この親指１６の近方側が近方側表示領域１７であり、親指１６の遠方側が遠方側表示領域１８である。なお、スクロール操作の際、親指１６は図３に示すように上下動するため、親指１６が、近方側表示領域１７に表示された情報の視認を妨げてしまう。また、両領域の境界は、図３で示した境界に限らない。例えば、左右を二分するような境界であってもよい。
【００２４】
次に、本実施例の処理手順について説明する。
図４は本実施形態の処理手順を示すフローチャートである。このフローチャートは、左右特定情報取得処理（ＳＴＥＰ１−１）、表示情報取得処理（ＳＴＥＰ１−２）、第１レイアウト表示処理（ＳＴＥＰ１−３）、レイアウト変更命令取得処理（ＳＴＥＰ１−４）、レイアウト変更処理（ＳＴＥＰ１−５）とからなる。
【００２５】
ＳＴＥＰ１−１は左右特定情報取得処理である。
情報取得部２１は、情報入力部５１から、携帯端末を操作する手が右であるのか、左であるのかを特定する情報を取得する。なお、ここでは右手で操作する旨の情報が得られたものとする。
ＳＴＥＰ１−２は表示情報取得処理である。
情報取得部２１は、表示情報記憶部３１から図２の表示情報を取得する。
ＳＴＥＰ１−３は、第１レイアウト表示処理である。
操作する手が右手であるので、表示命令部２３は、表示情報の右用表示先に従って各コンテンツを表示する（この処理内容の詳細についてはＳＴＥＰ１−５で説明する）。
ＳＴＥＰ１−４は、レイアウト変更命令取得処理である。
情報取得部２１は、情報入力部５１からレイアウト変更命令を取得する。なお、この命令は、表示情報を右手用のレイアウトから左手用のレイアウトに変更すべき命令である。
【００２６】
ＳＴＥＰ１−５は、レイアウト変更処理であり、詳細は図５の通りである。
ＳＴＥＰ１−５１は、表示先判断処理である。
判断処理部２２は、表示情報の表示先に基づき、各コンテンツの表示先を判断する。すなわち、各コンテンツの左用表示先が近方側（左側）領域であるか否かを判断し、左用表示先が近方側領域である場合はＳＴＥＰ１−５２に進み、そうでない場合はＳＴＥＰ１−５３に進む。
ＳＴＥＰ１−５２は近方側（左側）領域への表示処理である。
近方側領域表示部４１は、表示命令部２３の表示命令を受け、近方側（左側）領域にコンテンツを表示する。なお、ここでは「送信ボタン」などの入力受付部や動画の補足説明（テキストデータ）等が、操作する左手の近くに表示される。
ＳＴＥＰ１−５３は遠方側（右側）領域への表示処理である。
遠方側領域表示部４２は、表示命令部２３の表示命令を受け、遠方側（右側）領域にコンテンツを表示する。なお、ここでは犬の画像等の選択判断基準となるデータ（一目で視覚に訴える視覚情報）が、操作する左手から遠い側に表示される。
【００２７】
以上の処理により、レイアウトを変更する際に、選択の判断基準となるような重要情報が、操作する手の近方側領域に表示されることがないので、迅速な情報選択を行うことができる。また、情報入力のための操作ボタン（入力受付部）は操作する手の近方側領域に表示されるので、親指でそのボタンを容易にタップすることができ、指が届かないという問題も生じない。
なお、本実施例では、右手のレイアウトから左手のレイアウトに切り替える例を説明したが、左手のレイアウトから右手のレイアウトに切り替えるものであってもよい。
【実施例２】
【００２８】
本発明の第２実施例について説明する。
本発明は、表示処理装置、表示処理プログラム、表示処理方法に関し、特に、所定のタイミングになった場合、情報表示部に表示されたレイアウトを、他のレイアウトに切り替える装置等を提供するものである。
【００２９】
現在、多くの人達がスマートフォンなどの携帯端末を利用している。スマートフォンは、操作ボタン等の表示レイアウトを自由に設定できるため、操作性に優れている。
しかし、表示レイアウトが自由であるが故に、レイアウトを設定する者が充分な配慮を行わないと、却って不便なものとなる場合がある。例えば、図１５（ｂ）は「スキャン」という操作ボタンが画面の右側に表示されている。これはスマートフォンの利用者の殆どが右利きであるため、操作ボタンが右利きの人にとって指が届きやすい右側に表示されているのである。しかし、これは左利きの人にとっては非常に不便である。左利きの人は左手で操作を行うので、操作ボタンに指が届き辛いからである。
【００３０】
この問題に対し、上記非特許文献１のような技術が提供されている。これは、操作ボタン等を表示画面の左右で入れ替える技術を提供するものであり、左利きの人でも利用しやすいよう配慮された技術である（図１５）。
すなわち、所定の操作により、右利きモードから左利きモードに切り替えると右側に表示された操作ボタンが、図１５（ａ）のように左側に表示され、左利きの人の指が操作ボタンに楽に届くように設計されている。
【００３１】
しかし、上記非特許文献１は、左利きの人が左利きモードを利用するケースのみを考慮した技術であり、右利きの人が一時的に左利きモードを利用するケースを想定したものではない。
なお、右利きの人が一時的に左利きモードを利用するケースとは、例えば、次のようなケースである。右利きの人は通常右手で携帯端末を操作するが、携帯端末を操作しながら、表示部に表示された情報を書き写したいと思うことがある。その場合、左手で携帯端末を操作しながら、右手でペンを持ち内容を書き写すことになる。このような場合、右利きの人でも左手モードを利用したと思うことがある。また、電車の中で、右手でつり革を持った時なども同様である。
【００３２】
このように右利きの人が左手モードを一時的に利用したいと思うケースは意外と多いが、右利き用の左手モードというものはこれまで提供されておらず、これにより次のような不便が生じる。
すなわち、右利きの人が左手モードを利用する際は、左手モードを一時的に利用するに過ぎない。よって、右利きの人が左手モードを利用した場合、すぐに右手モードに切り替えることが一般的であるが、従来の技術では、所定の操作を行わないと右手モードに戻すことができず、非常に面倒である。
なお、この問題は、左利きの人にも同様に生じるものである。すなわち、通常左手モードを利用している左利きの人が、一時的に右手モードを利用する場合も、所定の操作を行わないと左手モードに戻すことができないので、非常に面倒なのである。
【００３３】
本発明は、このような課題を解決するためのものであり、利き手以外の非利き手モードを一時的に利用する人が、面倒な操作をすることなく、容易に利き手モードに戻すことを可能にする装置や方法等を提供するものである。
【００３４】
上記問題を解決するため、本発明では、片手で保持した状態で操作を行う携帯端末のレイアウト表示を処理する表示処理装置において、利き手ではない方の手で操作しやすい非利き手用レイアウトで情報を表示しているときに、所定のタイミングになった場合は、情報の表示レイアウトを、前記非利き手用レイアウトから、利き手で操作しやすい利き手用レイアウトに自動的に切り替えるレイアウト切替手段を備えることを特徴とする表示処理装置が提供される。
【００３５】
本発明に係る表示処理装置は、所定のタイミングになった場合は、情報の表示レイアウトを、非利き手用レイアウトから、利き手で操作しやすい利き手用レイアウトに自動的に切り替える。
これにより、情報の表示レイアウトが、非利き手用レイアウトから、利き手で操作しやすい利き手用レイアウトに自動的に切り替わる。
【００３６】
上記問題を解決するため、本発明では、片手で保持した状態で操作を行う携帯端末のレイアウト表示を処理するコンピュータを、利き手ではない方の手で操作しやすい非利き手用レイアウトで情報を表示しているときに、所定のタイミングになった場合は、情報の表示レイアウトを、前記非利き手用レイアウトから、利き手で操作しやすい利き手用レイアウトに自動的に切り替えるレイアウト切替手段として機能させることを特徴とする表示処理プログラムが提供される。
【００３７】
本発明に係る表示処理プログラムは、所定のタイミングになった場合は、情報の表示レイアウトを、非利き手用レイアウトから、利き手で操作しやすい利き手用レイアウトに自動的に切り替えるようにする。
これにより、所定のタイミングで、情報の表示レイアウトが、非利き手用レイアウトから、利き手で操作しやすい利き手用レイアウトに自動的に切り替わる。
【００３８】
上記問題を解決するため、本発明では、片手で保持した状態で操作を行う携帯端末のレイアウト表示を処理する表示処理装置において、
レイアウト切替手段が、利き手ではない方の手で操作しやすい非利き手用レイアウトで情報を表示しているときに、所定のタイミングになった場合は、情報の表示レイアウトを、前記非利き手用レイアウトから、利き手で操作しやすい利き手用レイアウトに自動的に切り替えるステップを実行することを特徴とする表示処理方法が提供される。
【００３９】
本発明に係る表示処理方法は、所定のタイミングになった場合は、情報の表示レイアウトを、非利き手用レイアウトから、利き手で操作しやすい利き手用レイアウトに自動的に切り替えるステップを行う。
これにより、所定のタイミングで、情報の表示レイアウトが、非利き手用レイアウトから、利き手で操作しやすい利き手用レイアウトに自動的に切り替わる。
【００４０】
本発明は、所定のタイミングで、情報の表示レイアウトが、非利き手用レイアウトから、利き手で操作しやすい利き手用レイアウトに自動的に切り替わる。
よって、右利きの人は、煩雑な操作をすることなく、左手モードから右手モードに切り替えることができ、その後利き手である右手で操作を継続することができる。また、左利きの人も、煩雑な操作をすることなく、右手モードから左手モードに切り替えることができ、その後利き手である左手で操作を継続することができる。
【００４１】
図６は、本発明の第２実施例で利用するハードウェア構成及び機能構成を示した図であり、処理部２、記憶部３、表示部４、入力部５とを備えた表示装置１を示した図である。
表示装置１は、スマートフォンなどの携帯端末であるが、これに限るものではない。
処理部２は、所定のプログラムに従って情報を処理するものであり、情報取得部２１、判断処理表部２２、表示命令部２３とからなる。
記憶部３は、本実施形態で使用する情報や所定のプログラムを記憶するものであり、情報記憶部３１を備える。
表示部１４は、スマートフォンの表示モニタであるが、これに限るものではない。表示部１４は、右手用レイアウト表示部４３と左手用レイアウト表示部４４を備える。
入力部５は、情報を入力するための情報入力部５１を備える。
【００４２】
情報取得部２１は、表示情報記憶部３１や情報入力部５１から情報を取得し、判断処理部２２に対し、取得した情報に基づいた処理の実行を命令する。
判断処理部２２は、情報取得部２１からの処理実行命令を受信し、所定の判断等を行い、表示命令部２３に対し処理の実行命令を行う。
表示命令部２３は、判断処理部２２からの実行命令を受け、右手用レイアウト表示部４３と左手用レイアウト表示部４４に対し表示命令を行う。
【００４３】
情報記憶部３１は、情報取得部２１からの情報要求に応じ、情報取得部２１に対し所定の情報を送信する。
情報入力部５１は、情報取得部２１に情報の入力を行う。
【００４４】
右手用レイアウト表示部４３と左手用レイアウト表示部４４は、表示命令部２３からの表示命令を受け、情報を表示する。
【００４５】
次に、本実施形態にて使用されるデータについて説明する。
図７（ａ）は、コンテンツと、右手用表示位置（レイアウト）と、左手用表示位置（レイアウト）とが関連づけられた表示情報及びレイアウト情報である。各コンテンツは、設定された各々の表示位置に表示されるものである。
図７（ｂ）は、レイアウトを右手用から左手用に、または、左手用から右手用に切り替えるタイミングを示したデータである。なお、切り替えるタイミングは、主に図７（ｂ）に表されたコンテンツの終了時であるが、この内容に限るものではない。
【００４６】
次に、表示部１４の表示内容について説明する。
図８（ａ）は、右手用の表示レイアウトにて情報を表示した例である。「次へ」ボタンが右側に表示されているで、右手で操作する人にとっては利用しやすくなっている。
図８（ｂ）は、左手用の表示レイアウトにて情報を表示した例である。「次へ」ボタンが左側に表示されているで、左手で操作する人にとっては利用しやすくなっている。
図９（ａ）は、左利きの人が左手モードを使用する際の表示例である。左利きの人は左手を器用に動かせるので、操作ボタンが小さく表されている。なお、操作ボタンが小さいため、多くの操作ボタンを表示できる。
図９（ｂ）は、右利きの人が左手モードを使用する際の表示例である。右利きの人は左手を器用に動かせないので、操作ボタンが大きく表されている。
【００４７】
次に、本実施例の処理手順について説明する。
図１０は本実施例の処理手順を示すフローチャートである。このフローチャートは、利き手情報取得処理（ＳＴＥＰ２−１）、表示情報取得処理（ＳＴＥＰ２−２）、右手用レイアウト表示処理（ＳＴＥＰ２−３）、切替命令取得処理（ＳＴＥＰ２−４）、左手用レイアウトへの切替処理（ＳＴＥＰ２−５）、タイミング取得処理（ＳＴＥＰ２−６）、切替タイミング判断処理（ＳＴＥＰ２−７）、右手用レイアウトへの切替処理（ＳＴＥＰ２−８）とからなる。
【００４８】
ＳＴＥＰ２−１は利き手情報取得処理である。
情報取得部２１は、入力部５１から利き手情報の入力を受け付ける。なお、ここでは「右手」が利き手であるとの情報が取得されたものとする。
ＳＴＥＰ２−２は表示情報取得処理である。
情報取得部２１は、情報記憶部３１から図７（ａ）の表示情報とレイアウトとを取得する。
ＳＴＥＰ２−３は右手用レイアウト表示処理である。
表示命令部２３は、右手レイアウト表示部４３に対し表示命令を行う。これにより図８（ａ）のような右手用レイアウトで情報が表示される。すなわち、「次へ」の入力アイコンが右側に表示されるので右利きの人にとっては操作がしやすくなっているのである。
【００４９】
ＳＴＥＰ２−４は切替命令取得処理である。
情報取得部２１は、情報入力部５１から切替命令を取得する。これは、右手用レイアウトから左手用レイアウトに表示を切り替えるための命令である。
ＳＴＥＰ２−５は左手用レイアウトへの切替処理である。
表示命令部２３は、左手用レイアウト表示部４４に表示命令を行い、左手用のレイアウトを表示する（図８（ｂ））。これにより、右利きの人が左手で携帯端末を操作をしながら、右手で表示画面の内容を書き写すことができる。なお、操作ボタンを表示する際は、図９（ｂ）のような操作ボタンを表示して、右利きの人が左手でも操作しやすくしてもよい。
ＳＴＥＰ２−６はタイミング取得処理である。
情報取得部２１は、情報記憶部３１から図７（ｂ）のタイミング情報を取得する。このタイミング情報は、左手用レイアウトから右手用レイアウトに自動的に表示切替を行うタイミングを示す情報である。
【００５０】
ＳＴＥＰ２−７は切替タイミング判断処理である。
判断処理部２２は、切替タイミングになったか否かを判断し、切替タイミングになった場合は、ＳＴＥＰ２−８に進む。
ＳＴＥＰ２−８は右手用レイアウトへの切替処理である。
表示命令部２３は、右手レイアウト表示部４３に対し表示命令を行い、右手レイアウト表示部４３は、右手用のレイアウトを表示する（図８（ａ））。
このように所定のタイミングで、左手のレイアウトから、利き手である右手用レイアウトに自動的に戻るようにすれば、煩わしい操作をすることなく利き手（右手）モードに戻すことができ、快適に携帯端末の操作を続けることができる。
【実施例３】
【００５１】
本発明の第３実施例について説明する。
本発明は、表示処理装置、表示処理プログラム、表示処理方法に関し、特に、コンテンツの再生箇所または音量をコントロールするコントロール部を表示する装置等を提供するものである。
【００５２】
現在、スマートフォン等の携帯端末では、動画や音声を再生する際、その再生箇所や音量をコントロールするため、図１７のような横長のコントロールバーが利用されている。スマートフォン利用者が、このコントロールバーを操作するときは、親指の先端を移動させ、コントロールバーの一部分をタップすることにより再生箇所や音量等をコントロールする。
【００５３】
しかし、例えば、右利きの人が携帯端末を右手で保持してこの横長のコントロールバーを操作する際、操作する親指が横長のコントロールバーの左端部分に届かない場合がある。よって、利用者は親指を無理に伸ばすか、携帯端末を持ち直すなどして左端に親指を届かせるようにしているのであるが、このような動作は面倒であり、多くの利用者が不便を感じていた。
一方、横長のコントロールバーを右手の親指で届く範囲のみに表示すると、コントロールバーが短くなり、きめ細かな操作ができないという問題が生じていた。
【００５４】
本発明は、このような課題を解決するためのものであり、親指で操作しやすいコントロールバーを表示する装置や方法等を提供するものである。
【００５５】
上記問題を解決するため、本発明では、片手で保持した状態で操作を行う携帯端末の表示処理を行う表示処理装置において、コンテンツの再生箇所または音量をコントロールするコントロール部を、動画または音声の再生画面の上方向から下方向にかけて表示するコントロール部表示手段を備え、前記コントロール部は、操作する手に近い側に表示されることを特徴とする表示処理装置。
【００５６】
本発明に係る表示処理装置は、片手で保持した状態で操作を行う携帯端末の表示処理を行う表示処理装置において、コンテンツの再生箇所または音量をコントロールするコントロール部を、動画または音声の再生画面の上方向から下方向にかけて表示し、コントロール部は、操作する手に近い側に表示される。
これにより、コンテンツの再生箇所または音量をコントロールするコントロール部が、動画または音声の再生画面の上方向から下方向にかけて、且つ、操作する手に近い側に表示される。
【００５７】
上記問題を解決するため、本発明では、片手で保持した状態で操作を行う携帯端末の表示処理を行うコンピュータを、コンテンツの再生箇所または音量をコントロールするコントロール部を、動画または音声の再生画面の上方向から下方向にかけて表示するコントロール部表示手段として機能させるものであり、前記コントロール部は、操作する手に近い側に表示されることを特徴とする表示処理プログラムが提供される。
【００５８】
本発明に係る表示処理プログラムは、片手で保持した状態で操作を行う携帯端末の表示処理を行う表示処理コンピュータを、コンテンツの再生箇所または音量をコントロールするコントロール部を、動画または音声の再生画面の上方向から下方向にかけて表示する手段として機能させ、コントロール部は、操作する手に近い側に表示するようにする。
これにより、コンテンツの再生箇所または音量をコントロールするコントロール部が、動画または音声の再生画面の上方向から下方向にかけて、且つ、操作する手に近い側に表示される。
【００５９】
上記問題を解決するため、本発明では、片手で保持した状態で操作を行う携帯端末の表示処理を行う表示処理装置において、コントロール部表示手段が、コンテンツの再生箇所または音量をコントロールするコントロール部を、動画または音声の再生画面の上方向から下方向にかけて表示するコントロール部表示ステップを実行するものであり、前記コントロール部は、操作する手に近い側に表示されることを特徴とする表示処理方法が提供される。
【００６０】
本発明に係る表示処理方法は、片手で保持した状態で操作を行う携帯端末の表示処理を行う表示処理装置において、コントロール部表示手段が、コンテンツの再生箇所または音量をコントロールするコントロール部を、動画または音声の再生画面の上方向から下方向にかけて表示し、コントロール部は、操作する手に近い側に表示される。
これにより、コンテンツの再生箇所または音量をコントロールするコントロール部が、動画または音声の再生画面の上方向から下方向にかけて、且つ、操作する手に近い側に表示される。
【００６１】
本発明は、コンテンツの再生箇所または音量をコントロールするコントロール部が、動画または音声の再生画面の上方向から下方向にかけて、且つ、操作する手に近い側に表示される。これにより、スマートフォン利用者は、操作する指が楽に届く範囲で、動画の再生位置や音量をきめ細かくコントロールすることができる。
【００６２】
図１１は、本発明の第３実施例で利用するハードウェア構成及び機能構成を示した図であり、処理部２、記憶部３、表示部４、入力部５とを備えた表示装置１を示した図である。
表示装置１は、スマートフォンなどの携帯端末であるが、これに限るものではない。
処理部２は、所定のプログラムに従って情報を処理するものであり、情報取得部２１、判断処理表部２２、表示命令部２３とからなる。
記憶部３は、本実施形態で使用する情報や所定のプログラムを記憶するものであり、情報記憶部３１を備える。
表示部１４は、スマートフォンの表示モニタであるが、これに限るものではない。表示部１４は、コントロールバー表示部４５を備える。
入力部５は、情報を入力するための情報入力部５１を備える。
【００６３】
情報取得部２１は、表示情報記憶部３１や情報入力部５１から情報を取得し、判断処理部２２に対し、取得した情報に基づいた処理の実行を命令する。
判断処理部２２は、情報取得部２１からの処理実行命令を受信し、所定の判断等を行い、表示命令部２３に対し処理の実行命令を行う。
表示命令部２３は、判断処理部２２からの実行命令を受け、コントロールバー表示部４５に対し表示命令を行う。
【００６４】
情報記憶部３１は、情報取得部２１からの情報要求に応じ、情報取得部２１に対し所定の情報を送信する。
情報入力部５１は、情報取得部２１に情報の入力を行う。
コントロールバー表示部４５は、表示命令部２３からの表示命令を受け、情報を表示する。
【００６５】
次に、本実施形態にて使用されるデータについて説明する。
図１２は、コンテンツと、表示位置（レイアウト）とを関連づけたレイアウト情報である。コントロールバーは横タイプと縦タイプとがあり、各々表示位置や形状が異なる。
【００６６】
次に、表示部１４の表示内容について説明する。
図１３は、コントロールバー３５を縦向きに表示したものであり、このコントロールバー３５は、動画再生画面３６よりも右側（操作する手に近い側）に表示される。
【００６７】
次に、本実施例の処理手順について説明する。
図１４は本実施例の処理手順を示すフローチャートである。このフローチャートは、横表示処理（ＳＴＥＰ３−１）、切替命令判断処理（ＳＴＥＰ３−２）、縦表示処理（ＳＴＥＰ３−３）、拡大命令判断処理（ＳＴＥＰ３−４）、拡大表示処理（ＳＴＥＰ３−５）とからなる。なお、本実施例では、携帯端末の利用者は右利きであり、右手で携帯端末を操作するケースについて説明する。
【００６８】
ＳＴＥＰ３−１は横表示処理である。
表示命令部２３は、図１２のレイアウト情報を参照し、コントロールバー表示部４５に対し、コントロールバーを横向きに表示するよう命令する。これにより図１７のような内容が表示される。
ＳＴＥＰ３−２は切替命令判断処理である。
判断処理部２２は、コントロールバー３５の表示を横向きから縦向きに切り替えることを命令する切替命令が取得されたか否かを判断し、これが取得された場合はＳＴＥＰ３−３に進む。
【００６９】
ＳＴＥＰ３−３は縦表示処理である。
表示命令部２３は、図１２のレイアウト情報を参照し、コントロールバー表示部４５に対し、コントロールバーを縦向きに表示するよう命令する。これにより図１３のようにコントロールバー３５が縦に、且つ、操作する右手に近い側に表示される。これにより、携帯端末の利用者は、操作する指が楽に届く範囲で、動画の再生位置や音量をきめ細かくコントロールすることができる。
なお、携帯端末の利用者が左手で操作する場合は、コントロールバー３５を左側に表示してもよい。
【００７０】
ＳＴＥＰ３−４は拡大命令判断処理である。
判断処理部２２は、コントロールバー３５を拡大表示することを命令する拡大命令が取得されたか否かを判断し、これが取得された場合はＳＴＥＰ３−５に進む。なお、この拡大表示命令は、例えばコントロールバー３５の一部を長押しすること（コントロールバーの一部に一定時間指で触れ続けること）により発せられるようにしてもよい。
ＳＴＥＰ３−５は拡大表示処理である。
表示命令部２３は、コントロールバー表示部４５に対し、コントロールバー３５の一部を拡大表示するよう命令する。これにより図１３のようにコントロールバーの一部３７が拡大表示され、携帯端末の利用者は、再生箇所や音量等をきめ細かく調節できる。
【００７１】
本実施形態では、特定の例に基づいて本発明の内容を説明したが、本発明はこれに限るものではない。
【００７２】
この実施形態は本発明の範囲を限定するものではない。本実施形態で説明した各処理はどの装置で行ってもよい。例えば、１つの装置で行う処理を、複数の装置で行ってもよい。
また、本実施形態で説明したシステム構成（ハードウェア構成）は一例であり、用途や目的に応じて様々な構成があることは言うまでもない。
更に、本実施形態で説明したデータ構成は一例であり、用途や目的に応じて様々なデータ構成があることは言うまでもない。
【００７３】
なお、上記の処理機能は、コンピュータによって実現することができる。その場合、本発明に係る装置が有すべき機能の処理内容を記述した本発明に係るプログラムが提供される。そのプログラムをコンピュータで実行することにより、上記処理機能がコンピュータ上で実現される。処理内容を記述した本発明に係るプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ＨＤＤ、ＦＤ、磁気テープなどがある。光ディスクには、ＤＶＤ（Ｄｉｇｉｔａｌ  Ｖｅｒｓａｔｉｌｅ  Ｄｉｓｃ）、ＤＶＤ−ＲＡＭ、ＣＤ−ＲＯＭ、ＣＤ−Ｒ（Ｒｅｃｏｒｄａｂｌｅ）／ＲＷ（ＲｅＷｒｉｔａｂｌｅ）などがある。光磁気記録装置には、  ＭＯ（Ｍａｇｎｅｔｏ  Ｏｐｔｉｃａｌ  ｄｉｓｋ）などがある。
【００７４】
本発明に係るプログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【００７５】
本発明に係るプログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置から本発明に係るプログラムを読み取り、そのプログラムに従った処理を実行する。
なお、コンピュータは、可搬型記録媒体からそのプログラムを読み取り、プログラムに従った処理を実行することもできる。また、コンピュータは、サーバコンピュータからプログラムが転送される毎に、逐次、受け取ったプログラムに従った処理を実行することもできる。
【００７６】
なお、本発明は、上述の実施の形態にのみ限定されるものではなく、本発明の要旨を逸脱しない範囲内において種々の変更を加えることができる。
【００７７】
上記については単に本発明の原理を示すものである。さらに、多数の変形、変更が当業者にとって可能であり、本発明は上記に示し、説明した正確な構成および  応用例に限定されるものではなく、対応するすべての変形例および均等物は、添付の請求項およびその均等物による本発明の範囲とみなされる。
【符号の説明】
【００７８】
１    表示装置
２    処理部
３    記憶部
４    表示部
５    入力部
１６  親指
１７  近方側領域
１８  遠方側領域
【図１】
2016076038.tif 000003
【図２】
2016076038.tif 000004
【図３】
2016076038.tif 000005
【図４】
2016076038.tif 000006
【図５】
2016076038.tif 000007
【図６】
2016076038.tif 000008
【図７】
2016076038.tif 000009
【図８】
2016076038.tif 000010
【図９】
2016076038.tif 000011
【図１０】
2016076038.tif 000012
【図１１】
2016076038.tif 000013
【図１２】
2016076038.tif 000014
【図１３】
2016076038.tif 000015
【図１４】
2016076038.tif 000016
【図１５】
2016076038.tif 000017
【図１６】
2016076038.tif 000018
【図１７】
2016076038.tif 000019